(57)【要約】【課題】ハンガーパイプに吊り下げられた複数の衣料品のＲＦＩＤタグをより確実に読み取ることができるハンガーパイプ用リーダ装置を提供する。【解決手段】本発明に係るハンガーパイプ用リーダ装置は、複数のハンガーを吊り下げるハンガーパイプを備えるハンガーラック用のリーダ装置であって、ハンガーパイプに着脱自在に吊り下げられる着脱部と、着脱部に接続された本体部と、各々のハンガーに掛けられる衣料品に付されたＲＦＩＤタグと通信するためのケーブル状のリーダアンテナと、本体部に設けられるとともにリーダアンテナの一端部が接続され、リーダアンテナを通じてＲＦＩＤタグの情報を読み取るリーダモジュールとを備える。【選択図】図１
2019207447.tif 000002
【特許請求の範囲】
【請求項１】
複数のハンガーを吊り下げるハンガーパイプを備えるハンガーラック用のリーダ装置であって、
前記ハンガーパイプに着脱自在に吊り下げられる着脱部と、
前記着脱部に接続された本体部と、
各々の前記ハンガーに掛けられる衣料品に付されたＲＦＩＤタグと通信するためのケーブル状のリーダアンテナと、
前記本体部に設けられるとともに前記リーダアンテナの一端部が接続され、前記リーダアンテナを通じて前記ＲＦＩＤタグの情報を読み取るリーダモジュールと、
を備える、ハンガーラック用リーダ装置。
【請求項２】
前記リーダモジュールは、外部通信用アンテナを備える、請求項１に記載のハンガーラック用リーダ装置。
【請求項３】
前記リーダアンテナの他端部は、前記着脱部が前記ハンガーパイプに吊り下げられた状態にあるとき、鉛直方向において前記ハンガーパイプの高さの１／２の高さよりも下方に位置する、請求項１又は２に記載のハンガーラック用リーダ装置。
【請求項４】
前記本体部は、
前記着脱部の下方に設けられた顔部と、
前記顔部から横方向又は斜め下方に延在するように設けられた肩部と、
を備える、請求項１〜３のいずれか１つに記載のハンガーラック用リーダ装置。
【請求項５】
前記本体部は、
前記着脱部の下方に設けられた顔部と、
前記顔部から斜め下方に延在するように設けられた肩部と、
前記肩部の下端部から横方向に延在するように設けられたバー部と、
備え、
前記リーダアンテナは、前記肩部及び前記バー部に沿うように設けられている、
請求項１又は２に記載のハンガーラック用リーダ装置。
【請求項６】
前記肩部は、
前記顔部から左斜め下方に延在するように設けられた左肩部と、
前記顔部から右斜め下方に延在するように設けられた右肩部と、
を備え、
前記バー部は、前記左肩部の下端部と前記右肩部の下端部とを接続するように設けられ、
前記リーダアンテナは、前記左肩部、前記バー部、及び前記右肩部に沿うように設けられている、
請求項５に記載のハンガーラック用リーダ装置。
【請求項７】
複数のハンガーを吊り下げるハンガーパイプを備えるハンガーラックであって、
各々の前記ハンガーに掛けられる衣料品に付されたＲＦＩＤタグの情報を読み取るためのハンガーラック用リーダ装置を備え、
前記ハンガーラック用リーダ装置は、
前記ハンガーパイプに着脱自在に吊り下げられる着脱部と、
前記着脱部に接続された本体部と、
前記ＲＦＩＤタグと通信するためのケーブル状のリーダアンテナと、
前記本体部に設けられるとともに前記リーダアンテナの一端部が接続され、前記リーダアンテナを通じて前記ＲＦＩＤタグの情報を読み取るリーダモジュールと、
を備える、ハンガーラック。
【請求項８】
前記リーダモジュールは、外部通信用アンテナを備える、請求項７に記載のハンガーラック。
【請求項９】
前記リーダアンテナの他端部は、前記着脱部が前記ハンガーパイプに吊り下げられた状態にあるとき、鉛直方向において前記ハンガーパイプの高さの１／２の高さよりも下方に位置する、請求項７又は８に記載のハンガーラック。
【請求項１０】
前記本体部は、
前記着脱部の下方に設けられた顔部と、
前記顔部から横方向又は斜め下方に延在するように設けられた肩部と、
を備える、請求項７〜９のいずれか１つに記載のハンガーラック。
【請求項１１】
前記本体部は、
前記着脱部の下方に設けられた顔部と、
前記顔部から斜め下方に延在するように設けられた肩部と、
前記肩部の下端部から横方向に延在するように設けられたバー部と、
備え、
前記リーダアンテナは、前記肩部及び前記バー部に沿うように設けられている、
請求項７又は８に記載のハンガーラック。
【請求項１２】
前記肩部は、
前記顔部から左斜め下方に延在するように設けられた左肩部と、
前記顔部から右斜め下方に延在するように設けられた右肩部と、
を備え、
前記バー部は、前記左肩部の下端部と前記右肩部の下端部とを接続するように設けられ、
前記リーダアンテナは、前記左肩部、前記バー部、及び前記右肩部に沿うように設けられている、
請求項１１に記載のハンガーラック。
【請求項１３】
複数の衣料品の商品管理を行う商品管理システムであって、
複数のハンガーを吊り下げるハンガーラックのハンガーパイプに吊り下げられ、各々の前記ハンガーに掛けられた衣料品に付されたＲＦＩＤタグの情報を読み取るためのハンガーラック用リーダ装置と、
前記ハンガーラック用リーダ装置と通信して複数の衣料品の商品管理を行う店舗側端末と、
を備え、
前記ハンガーラック用リーダ装置は、
前記ハンガーパイプに着脱自在に吊り下げられる着脱部と、
前記着脱部に接続された本体部と、
前記ＲＦＩＤタグと通信するためのケーブル状のリーダアンテナと、
前記本体部に設けられるとともに前記リーダアンテナの一端部が接続され、前記リーダアンテナを通じて前記ＲＦＩＤタグの情報を読み取るリーダモジュールと、
を備え、
前記店舗側端末は、
前記リーダモジュールが備える外部通信用アンテナと通信するための店舗側アンテナと、
前記ＲＦＩＤタグの情報を管理する制御部と、
を備える、
衣料品の商品管理システム。
【請求項１４】
前記ハンガーパイプには、複数の前記ハンガーラック用リーダ装置が互いに間隔をおいて配置され、
前記制御部は、前記複数のハンガーラック用リーダ装置における特定のＲＦＩＤタグの読取り可否又は信号強度に基づいて、前記特定のＲＦＩＤタグが付された衣料品と前記複数のハンガーラック用リーダ装置との相対位置を特定する、
請求項１３に記載の衣料品の商品管理システム。
【請求項１５】
前記制御部は、前記ハンガーラック用リーダ装置における特定のＲＦＩＤタグの読取り可否をリアルタイムに検出して、前記特定のＲＦＩＤタグが付された衣料品が前記ハンガーから外され、戻された回数を含む履歴を管理する、請求項１３又は１４に記載の衣料品の商品管理システム。
【発明の詳細な説明】
【技術分野】
【０００１】
本発明は、ハンガーラック用リーダ装置、当該リーダ装置を備えるハンガーラック及び衣料品の商品管理システムに関する。
【背景技術】
【０００２】
従来、ＲＦＩＤシステムを利用した衣料品等の在庫管理が行われている（例えば、特許文献１及び２参照）。このＲＦＩＤシステムでは、店員がハンディ型のリーダライタを走査することによって、各衣料品に取り付けられたＲＦＩＤタグを１つずつ読み取るようにしている。
【０００３】
しかしながら、前記ＲＦＩＤシステムでは、複数の衣料品の在庫管理をバッチ的に行うことが可能であるが、リアルタイムに行うことはできない。
【０００４】
これに対して、従来、ループアンテナを有するリーダ装置を備えるハンガーラックが知られている（例えば、特許文献３及び４参照）。このハンガーラックによれば、ハンガーラック自体にリーダ装置が設けられているため、複数の衣料品の在庫管理をリアルタイムに行うことが可能である。
【先行技術文献】
【特許文献】
【０００５】
【特許文献１】特開２００４−２４６６１７号公報
【特許文献２】特開２０１５−２３４５７号公報
【特許文献３】特表２００７−５３５７６２号公報
【特許文献４】特許第５６８９５６５号公報
【発明の概要】
【発明が解決しようとする課題】
【０００６】
しかしながら、従来のループアンテナを有するリーダ装置では、ハンガーラックのハンガーパイプ及び支柱にループアンテナを内蔵するか、或いは、ハンガーパイプ及び支柱自体をループアンテナの一部としている。このため、アンテナの位置がハンガーパイプ及び支柱の位置によって制約されてしまう。その結果、アンテナの信号強度が小さい場合は、ハンガーパイプに吊り下げられた複数の衣料品のＲＦＩＤタグのうち、読み取れないＲＦＩＤタグが発生し得る。また、これを抑えるために、アンテナの信号強度を大きくした場合には、他のハンガーラックのループアンテナと干渉することが起こり得る。従って、従来のリーダ装置では、ハンガーパイプに吊り下げられた複数の衣料品のＲＦＩＤタグをより確実に読み取るという観点において、未だ改善の余地がある。
【０００７】
本発明の目的は、ハンガーパイプに吊り下げられた複数の衣料品のＲＦＩＤタグをより確実に読み取ることができるハンガーラック用リーダ装置、ハンガーラック、及び衣料品の商品管理システムを提供することにある。
【課題を解決するための手段】
【０００８】
本発明に係るハンガーラック用リーダ装置は、複数のハンガーを吊り下げるハンガーパイプを備えるハンガーラック用のリーダ装置であって、
前記ハンガーパイプに着脱自在に吊り下げられる着脱部と、
前記着脱部に接続された本体部と、
各々の前記ハンガーに掛けられる衣料品に付されたＲＦＩＤタグと通信するためのケーブル状のリーダアンテナと、
前記本体部に設けられるとともに前記リーダアンテナの一端部が接続され、前記リーダアンテナを通じて前記ＲＦＩＤタグの情報を読み取るリーダモジュールと、
を備える。
【０００９】
本発明に係るハンガーラックは、複数のハンガーを吊り下げるハンガーパイプを備えるハンガーラックであって、
各々の前記ハンガーに掛けられる衣料品に付されたＲＦＩＤタグの情報を読み取るためのハンガーラック用リーダ装置を備え、
前記ハンガーラック用リーダ装置は、
前記ハンガーパイプに着脱自在に吊り下げられる着脱部と、
前記着脱部に接続された本体部と、
前記ＲＦＩＤタグと通信するためのケーブル状のリーダアンテナと、
前記本体部に設けられるとともに前記リーダアンテナの一端部が接続され、前記リーダアンテナを通じて前記ＲＦＩＤタグの情報を読み取るリーダモジュールと、
を備える。
【００１０】
本発明に係る衣料品の商品管理システムは、複数の衣料品の商品管理を行う商品管理システムであって、
複数のハンガーを吊り下げるハンガーラックのハンガーパイプに吊り下げられ、各々の前記ハンガーに掛けられた衣料品に付されたＲＦＩＤタグの情報を読み取るためのハンガーラック用リーダ装置と、
前記ハンガーラック用リーダ装置と通信して複数の衣料品の商品管理を行う店舗側端末と、
を備え、
前記ハンガーラック用リーダ装置は、
前記ハンガーパイプに着脱自在に吊り下げられる着脱部と、
前記着脱部に接続された本体部と、
前記ＲＦＩＤタグと通信するためのケーブル状のリーダアンテナと、
前記本体部に設けられるとともに前記リーダアンテナの一端部が接続され、前記リーダアンテナを通じて前記ＲＦＩＤタグの情報を読み取るリーダモジュールと、
を備え、
前記店舗側端末は、
前記リーダモジュールが備える外部通信用アンテナと通信するための店舗側アンテナと、
前記ＲＦＩＤタグの情報を管理する制御部と、
を備える。
【発明の効果】
【００１１】
本発明によれば、ハンガーパイプに吊り下げられた複数の衣料品のＲＦＩＤタグをより確実に読み取ることができる。
【図面の簡単な説明】
【００１２】
【図１】実施の形態に係るハンガーラック用リーダ装置の概略構成を示す斜視図である。
【図２】図１のハンガーラック用リーダ装置のリーダアンテナで読み取り可能なＲＦＩＤタグの通信範囲の一例を示す概略図である。
【図３Ａ】図１のハンガーラック用リーダ装置のリーダアンテナの一例を示す概略構成図である。
【図３Ｂ】図３Ａのリーダアンテナが備える整合回路部の概略図である。
【図４Ａ】図３Ａのリーダアンテナが備える整合回路部の平面図である。
【図４Ｂ】図４ＡのＡ−Ａ線断面図である。
【図４Ｃ】図３Ａのリーダアンテナが備える整合回路部の等価回路図である。
【図５Ａ】ハンガーに掛けられたＲＦＩＤタグ付きの衣料品を示す概略図である。
【図５Ｂ】図５ＡのＲＦＩＤタグの一例を示す概略図である。
【図６】図１のハンガーラック用リーダ装置の変形例を示す概略図である。
【図７】図６のハンガーラック用リーダ装置がハンガーラックに吊り下げられた状態を示す斜視図である。
【図８】図１のハンガーラック用リーダ装置の変形例を示す概略図である。
【図９】図１のハンガーラック用リーダ装置の変形例を示す概略図である。
【図１０】図１のハンガーラック用リーダ装置の変形例を示す概略図である。
【図１１】図１のハンガーラック用リーダ装置の変形例を示す概略図である。
【図１２】図１のハンガーラック用リーダ装置の変形例を示す概略図である。
【図１３】図１のハンガーラック用リーダ装置の変形例を示す概略図である。
【図１４】実施の形態に係るリーダ装置を用いる衣料品の商品管理システムの概略構成を示すブロック図である。
【図１５】ハンガーラックの概略構成を示す斜視図である。
【図１６】ハンガーパイプに吊り下げられた複数のリーダ装置と複数のハンガーとの配置を示す斜視図である。
【発明を実施するための形態】
【００１３】
本発明の一態様に係るハンガーラック用リーダ装置は、複数のハンガーを吊り下げるハンガーパイプを備えるハンガーラック用のリーダ装置であって、
前記ハンガーパイプに着脱自在に吊り下げられる着脱部と、
前記着脱部に接続された本体部と、
各々の前記ハンガーに掛けられる衣料品に付されたＲＦＩＤタグと通信するためのケーブル状のリーダアンテナと、
前記本体部に設けられるとともに前記リーダアンテナの一端部が接続され、前記リーダアンテナを通じて前記ＲＦＩＤタグの情報を読み取るリーダモジュールと、
を備える。
【００１４】
この構成によれば、ハンガーパイプに着脱自在に吊り下げられる着脱部を備えているので、ハンガーパイプに対する着脱部の吊り下げ位置に応じて、リーダアンテナを所望の位置に配置することが可能になる。また、リーダアンテナはケーブル状に形成されているので、リーダアンテナの長さに応じて、リーダアンテナの検知範囲を調整することが可能になる。その結果、ハンガーパイプに吊り下げられた複数の衣料品のＲＦＩＤタグをより確実に読み取ることができる。
【００１５】
なお、前記リーダモジュールは、外部通信用アンテナを備えてもよい。この構成によれば、リーダモジュールが読み取ったＲＦＩＤタグの情報を、店舗側端末などに送信することができる。
【００１６】
また、前記リーダアンテナの他端部は、前記着脱部が前記ハンガーパイプに吊り下げられた状態にあるとき、鉛直方向において前記ハンガーパイプの高さの１／２の高さよりも下方に位置するように設けられてもよい。この構成によれば、例えば、衣料品の下方にＲＦＩＤタグが位置する場合でも、当該ＲＦＩＤタグをより確実に読み取ることができる。
【００１７】
また、前記本体部は、前記着脱部の下方に設けられた顔部と、前記顔部から横方向又は斜め下方に延在するように設けられた肩部とを備えてもよい。この構成によれば、一般的なハンガーと同様に、顔部と肩部とを備えているので、外見をハンガーと同様の形態にしてリーダ装置を目立たなくすることができる。
【００１８】
また、前記本体部は、前記着脱部の下方に設けられた顔部と、前記顔部から斜め下方に延在するように設けられた肩部と、前記肩部の下端部から横方向に延在するように設けられたバー部と、備え、前記リーダアンテナは、前記肩部及び前記バー部に沿うように設けられてもよい。この構成によれば、一般的なハンガーと同様に、顔部と肩部とバー部とを備えているので、外見をハンガーと同様の形態にしてリーダ装置を一層目立たなくすることができる。
【００１９】
また、前記肩部は、前記顔部から左斜め下方に延在するように設けられた左肩部と、前記顔部から右斜め下方に延在するように設けられた右肩部と、を備え、前記バー部は、前記左肩部の下端部と前記右肩部の下端部とを接続するように設けられ、前記リーダアンテナは、前記左肩部、前記バー部、及び前記右肩部に沿うように設けられてもよい。この構成によれば、一般的なハンガーと同様に、顔部と肩部とバー部とを備えているので、外見をハンガーと同様の形態にしてリーダ装置を一層目立たなくすることができる。また、リーダアンテナを左肩部、バー部、右肩部に沿うように設けることで、リーダアンテナの長さをより長くすることができ、リーダアンテナの検知範囲を広くすることが可能になる。
【００２０】
本発明の一態様に係るハンガーラックは、複数のハンガーを吊り下げるハンガーパイプを備えるハンガーラックであって、
各々の前記ハンガーに掛けられる衣料品に付されたＲＦＩＤタグの情報を読み取るためのハンガーラック用リーダ装置を備え、
前記ハンガーラック用リーダ装置は、
前記ハンガーパイプに着脱自在に吊り下げられる着脱部と、
前記着脱部に接続された本体部と、
前記ＲＦＩＤタグと通信するためのケーブル状のリーダアンテナと、
前記本体部に設けられるとともに前記リーダアンテナの一端部が接続され、前記リーダアンテナを通じて前記ＲＦＩＤタグの情報を読み取るリーダモジュールと、
を備える。
【００２１】
この構成によれば、ハンガーパイプに着脱自在に吊り下げられる着脱部を備えているので、ハンガーパイプに対する着脱部の吊り下げ位置に応じて、リーダアンテナを所望の位置に配置することが可能になる。また、リーダアンテナはケーブル状に形成されているので、リーダアンテナの長さに応じて、リーダアンテナの検知範囲を調整することが可能になる。その結果、ハンガーパイプに吊り下げられた複数の衣料品のＲＦＩＤタグをより確実に読み取ることができる。
【００２２】
なお、前記リーダモジュールは、外部通信用アンテナを備えてもよい。この構成によれば、リーダモジュールが読み取ったＲＦＩＤタグの情報を、店舗側端末などに送信することができる。
【００２３】
また、前記リーダアンテナの他端部は、前記着脱部が前記ハンガーパイプに吊り下げられた状態にあるとき、鉛直方向において前記ハンガーパイプの高さの１／２の高さよりも下方に位置するように設けられてもよい。この構成によれば、例えば、衣料品の下方にＲＦＩＤタグが位置する場合でも、当該ＲＦＩＤタグをより確実に読み取ることができる。
【００２４】
また、前記本体部は、前記着脱部の下方に設けられた顔部と、前記顔部から横方向又は斜め下方に延在するように設けられた肩部とを備えてもよい。この構成によれば、一般的なハンガーと同様に、顔部と肩部とを備えているので、外見をハンガーと同様の形態にしてリーダ装置を目立たなくすることができる。
【００２５】
また、前記本体部は、前記着脱部の下方に設けられた顔部と、前記顔部から斜め下方に延在するように設けられた肩部と、前記肩部の下端部から横方向に延在するように設けられたバー部と、備え、前記リーダアンテナは、前記肩部及び前記バー部に沿うように設けられてもよい。この構成によれば、一般的なハンガーと同様に、顔部と肩部とバー部とを備えているので、外見をハンガーと同様の形態にしてリーダ装置を一層目立たなくすることができる。
【００２６】
また、前記肩部は、前記顔部から左斜め下方に延在するように設けられた左肩部と、前記顔部から右斜め下方に延在するように設けられた右肩部と、を備え、前記バー部は、前記左肩部の下端部と前記右肩部の下端部とを接続するように設けられ、前記リーダアンテナは、前記左肩部、前記バー部、及び前記右肩部に沿うように設けられてもよい。この構成によれば、一般的なハンガーと同様に、顔部と肩部とバー部とを備えているので、外見をハンガーと同様の形態にしてリーダ装置を一層目立たなくすることができる。また、リーダアンテナを左肩部、バー部、右肩部に沿うように設けることで、リーダアンテナの長さをより長くすることができ、リーダアンテナの検知範囲を広くすることが可能になる。
【００２７】
本発明の一態様に係る衣料品の商品管理システムは、複数の衣料品の商品管理を行う商品管理システムであって、
複数のハンガーを吊り下げるハンガーラックのハンガーパイプに吊り下げられ、各々の前記ハンガーに掛けられた衣料品に付されたＲＦＩＤタグの情報を読み取るためのハンガーラック用リーダ装置と、
前記ハンガーラック用リーダ装置と通信して複数の衣料品の商品管理を行う店舗側端末と、
を備え、
前記ハンガーラック用リーダ装置は、
前記ハンガーパイプに着脱自在に吊り下げられる着脱部と、
前記着脱部に接続された本体部と、
前記ＲＦＩＤタグと通信するためのケーブル状のリーダアンテナと、
前記本体部に設けられるとともに前記リーダアンテナの一端部が接続され、前記リーダアンテナを通じて前記ＲＦＩＤタグの情報を読み取るリーダモジュールと、
を備え、
前記店舗側端末は、
前記リーダモジュールが備える外部通信用アンテナと通信するための店舗側アンテナと、
前記ＲＦＩＤタグの情報を管理する制御部と、
を備える。
【００２８】
この構成によれば、ハンガーラック用リーダ装置がハンガーパイプに着脱自在に吊り下げられる着脱部を備えているので、ハンガーパイプに対する着脱部の吊り下げ位置に応じて、リーダアンテナを所望の位置に配置することが可能になる。また、リーダアンテナはケーブル状に形成されているので、リーダアンテナの長さに応じて、リーダアンテナの検知範囲を調整することが可能になる。その結果、ハンガーパイプに吊り下げられた複数の衣料品のＲＦＩＤタグをより確実に読み取ることができる。また、ハンガーラック用リーダ装置をハンガーパイプに吊り下げるので、複数の衣料品の在庫管理をリアルタイムに行うことが可能である。
【００２９】
なお、前記ハンガーパイプには、複数の前記ハンガーラック用リーダ装置が互いに間隔をおいて配置され、前記制御部は、前記複数のハンガーラック用リーダ装置における特定のＲＦＩＤタグの読取り可否又は信号強度に基づいて、前記特定のＲＦＩＤタグが付された衣料品と前記複数のハンガーラック用リーダ装置との相対位置を特定してもよい。この構成によれば、複数の衣料品の在庫管理をより正確に行うことができる。
【００３０】
また、前記制御部は、前記ハンガーラック用リーダ装置における特定のＲＦＩＤタグの読取り可否をリアルタイムに検出して、前記特定のＲＦＩＤタグが付された衣料品が前記ハンガーから外され、戻された回数を含む履歴を管理してもよい。この構成によれば、複数の衣料品の在庫管理をより正確に行うことができる。
【００３１】
以下、実施の形態に係るハンガーラック用リーダ装置、ハンガーラック、及び当該ハンガーラックを用いた衣料品の商品管理システムについて、添付図面を参照しながら説明する。なお、図面において実質的に同一の部材については同一の符号を付している。
【００３２】
また、以下では、説明の便宜上、通常使用時の状態を想定して「上」、「下」、「横」、「右」、「左」、「斜め」等の方向を示す用語を用いている。しかしながら、これらの用語は、本発明のハンガーラック用リーダ装置、ハンガーラック、及び衣料品の商品管理システムの使用状態等を限定することを意味するものではない。
【００３３】
（実施の形態）
図１は、実施の形態に係るハンガーラック用リーダ装置６の概略構成を示す斜視図である。図２は、図１のハンガーラック用リーダ装置６のリーダライタアンテナ２０で読み取り可能なＲＦＩＤタグの通信範囲の一例を示す概略図である。
【００３４】
実施の形態に係るハンガーラック用リーダ装置（以下、リーダ装置と略す）６は、複数のハンガーを吊り下げるハンガーラックのハンガーパイプに吊り下げられるように構成されている。実施の形態において、リーダ装置６は、図１に示すように、外見上、衣料品用のハンガーと同様の形態を有している。具体的には、リーダ装置６は、着脱部の一例であるフック７と、顔部８ａと、肩部８ｂと、バー部８ｃとで構成される本体部８とを備えている。
【００３５】
フック７は、ハンガーパイプに着脱自在に吊り下げられるように構成されている。フック７は、顔部８ａに接続されている。顔部８ａは、フック７の下方に設けられている。肩部８ｂは、顔部８ａから斜め下方に延在するように設けられている。実施の形態において、肩部８ｂは、顔部８ａから左斜め下方に延在するように設けられた左肩部８ｂａと、顔部８ａから右斜め下方に延在するように設けられた右肩部８ｂｂとを備えている。バー部８ｃは、左肩部８ｂａの下端部から横方向に延在し、右肩部８ｂｂの下端部に接続されるように設けられている。フック７、顔部８ａ、肩部８ｂ、及びバー部８ｃは、例えば、金属、樹脂、木材等で構成されている。
【００３６】
また、リーダ装置６は、ケーブル状のリーダアンテナ２０と、顔部８ａに内蔵され、外部通信用アンテナ（図１４を参照して後述する外部通信用アンテナ４７）を有するリーダモジュール（通信モジュールともいう）２２とを備えている。
【００３７】
リーダアンテナ２０は、図２に示すように、ハンガー３ａ〜３ｈに掛けられる衣料品２ａ〜２ｈに付されたＲＦＩＤタグ１ａ〜１ｈと通信するように構成されている。具体的には、リーダアンテナ２０の一端部２０ａは、図１に示すように、リーダモジュール２２の外部通信用アンテナに接続されている。リーダモジュール２２は、リーダアンテナ２０を通じてＲＦＩＤタグ１ａ〜１ｈの情報を読み取る。また、リーダアンテナ２０は、右肩部８ｂｂ、バー部８ｃ、及び右肩部８ｂａに沿うように延在するように設けられている。リーダアンテナ２０の他端部２０ｂは、右肩部８ｂａの顔部８ａの近傍に位置するように設けられている。
【００３８】
図３Ａは、リーダアンテナ２０の一例を示す概略構成図である。図３Ｂは、図３Ａのリーダアンテナ２０が備える整合回路部３０の概略図である。図４Ａは、図３Ａのリーダアンテナ２０が備える整合回路部３０の平面図である。図４Ｂは、図４ＡのＡ−Ａ線断面図である。図４Ｃは、図３Ａのリーダアンテナ２０が備える整合回路部３０の等価回路図である。
【００３９】
リーダアンテナ２０は、図３Ａに示すように、同軸ケーブルで構成されるケーブル状本体部２１を備えている。ケーブル状本体部２１は、内部導体２４と、内部導体２４に沿って設けられた外部導体２５とを有している。また、リーダアンテナ２０は、ケーブル状本体部２１の一端部に設けられた整合回路部３０と、ケーブル状本体部２１の一端部から離れた位置で外部導体２５の外周面に沿うように設けられた磁性体２６とを有している。
【００４０】
整合回路部３０は、内部導体２４のインピーダンスと外部導体２５のインピーダンスとを一致させるように機能するものである。内部導体２４と外部導体２５とは、図３Ｂに示すように、整合回路部３０を介して接続されている。
【００４１】
整合回路部３０は、図４Ａ及び図４Ｂに示すように、内部導体２４に接続された平面状の第１導体層３１と、ビアホール導体３２と、平面状の第２導体層３３とを有している。第１導体層３１と第２導体層３３とは、外部導体２５の外径よりも広い幅を有し、内部導体２４の延在方向に沿って延在している。また、第１導体層３１と第２導体層３３とは、絶縁体３４を介して互いに対向するように設けられ、２つのビアホール導体３２によって互いに接続されている。第２導体層３３は、第１導体層３１よりもケーブル状本体部２１の延在方向の長さが長く形成されている。これにより、第２導体層３３の一部と外部導体２５とが、絶縁体３４を介して互いに対向するように設けられている。なお、図４Ｂでは、ビアホール導体３２及び内部導体２４の両方を断面で図示するために、図４ＡのＡ−Ａ線で示すように、便宜上、切断面を途中でずらしている。
【００４２】
内部導体２４は、第１導体層３１に電気的に接続されている。第１導体層３１は、２つのビアホール導体３２を介して第２導体層３３に電気的に接続されている。第２導体層３３は、絶縁体３４を介するキャパシタ成分３５を有する容量結合によって外部導体２５に接続されている。すなわち、図４Ｃに示すように、内部導体２４と外部導体２５とは、キャパシタ成分３５とインダクタ成分３６とを有する整合回路部３０を介して接続されている。
【００４３】
磁性体２６は、例えば、フェライトで構成されている。磁性体２６は、ＲＦＩＤタグに対して通信を行う放射部２７と、ＲＦＩＤタグに対して通信しない非放射部２８とにリーダアンテナ２０を区切るように機能する。すなわち、放射部２７は、ケーブル状本体部２１の一端部から磁性体２６まで延在する。非放射部２８は、磁性体２６からケーブル状本体部２１の他端部まで延在する。非放射部２８は、シールド部材として機能する。ケーブル状本体部２１の他端部は、給電部２３に接続されている。また、外部導体２５は、電気的に安定するように、グランドに接続されている。
【００４４】
なお、リーダアンテナ２０は、外部導体２５に生じる定在波を利用したアンテナであって、いわゆるループアンテナではない。また、リーダアンテナ２０の検知領域（電波エリア）は、約１ｍ以内に限られる。また、リーダアンテナ２０の近傍に金属体や磁性体があっても、周波数特性は大きく変わらない。また、リーダアンテナ２０は、屈曲させても屈曲部分間での干渉等が生じない。このため、リーダアンテナ２０は、２次元的又は３次元的に比較的自由に配置することが可能である。
【００４５】
実施の形態において、リーダ装置６は、図２に示すように、ハンガーパイプ１１に吊り下げられることで、当該ハンガーパイプ１１に吊り下げられている複数の衣料品２ａ〜２ｈのＲＦＩＤタグ１ａ〜１ｈの情報を読み取ることができるように構成されている。ハンガーパイプ１１は、後述する図７及び図１５に示すハンガーラック１０の一部を構成するものである。
【００４６】
図５Ａは、ハンガー３ａに掛けられたＲＦＩＤタグ１ａ付きの衣料品２ａを示す概略図である。図５Ｂは、ＲＦＩＤタグ１ａの一例を示す概略図である。
【００４７】
ＲＦＩＤタグ１ａは、図５Ａに示すように、商品である衣料品２ａに付されている。実施の形態において、ＲＦＩＤタグ１ａは、例えば、衣料品２ａにひも等で取り付けられている。ＲＦＩＤタグ１ａは、図５Ｂに示すように、ＲＦＩＣ素子４１ａと、ダイポールアンテナ４２ａとを備えている。ダイポールアンテナ４２ａは、ＲＦＩＣ素子４１ａを挟んで両側にミアンダ状に延在する２つのアンテナ素子４３ａ，４３ｂを備えている。なお、ハンガー３ｂ〜３ｈは、ハンガー３ａと同一の構成を有するので、ここでは説明を省略する。
【００４８】
なお、衣料品２ａ〜２ｈは、ＲＦＩＤタグによって在庫管理やセキュリティに関する管理を行うことができるものであればよい。衣料品２ａ〜２ｈは、例えば、ジャケット、ワイシャツ、Ｔシャツ、ワンピース、ズボン、スカート、靴下、下着、マフラーであってもよい。
【００４９】
実施の形態に係るリーダ装置６によれば、ハンガーパイプ１１に着脱自在に吊り下げられるフック７を備えているので、ハンガーパイプ１１に対するフック７の吊り下げ位置に応じて、リーダアンテナ２０を所望の位置に配置することが可能になる。また、リーダアンテナ２０はケーブル状に形成されているので、リーダアンテナ２０の長さに応じて、リーダアンテナ２０の検知範囲を調整することが可能になる。その結果、ハンガーパイプ１１に吊り下げられた複数の衣料品のＲＦＩＤタグ１ａ〜１ｈをより確実に読み取ることができる。
【００５０】
また、実施の形態に係るリーダ装置６によれば、リーダモジュール２２が外部通信用アンテナを備えるので、リーダモジュール２２が読み取ったＲＦＩＤタグ１ａ〜１ｈの情報を、店舗側端末などに送信することができる。
【００５１】
また、実施の形態に係るリーダ装置６によれば、本体部８が顔部８ａと肩部８ｂとバー部８ｃとを備えている。この構成によれば、外見をハンガーと同様の形態にしてリーダ装置６を目立たなくすることができる。また、リーダアンテナ２０を右肩部８ｂｂ、バー部８ｃ、左肩部８ｂａに沿うように設けることで、リーダアンテナ２０の長さをより長くすることができ、リーダアンテナ２０の検知範囲を広くすることが可能になる。
【００５２】
また、実施の形態に係るリーダ装置６によれば、図２に示すように、リーダ装置６にダミーの衣料品５を掛けることによって、リーダ装置６を一層目立たなくすることができる。
【００５３】
なお、肩部８ｂ及びバー部８ｃが金属である場合には、リーダアンテナ２０は、金属によってシールドされないように、肩部８ｂ及びバー部８ｃの内部ではなく、肩部８ｂ及びバー部８ｃの表面に沿って配置されることが好ましい。
【００５４】
なお、本発明は前記実施の形態に限定されるものではなく、その他種々の態様で実施できる。例えば、前記では、着脱部としてフック７を例に挙げたが、本発明はこれに限定されない。例えば、着脱部は、ハンガーパイプ１１に着脱自在に吊り下げられるように構成されていれば、どのような構成であってもよい。例えば、着脱部は、ハンガーパイプ１１を挟むクリップ形状であってもよい。また、着脱部は、ハンガーパイプ１１から簡単に外れないように、ロック機構を有してもよい。これにより、例えば、使用者がリーダ装置６をハンガーと間違って取ってしまうことを抑えることができる。また、ハンガーパイプ１１に対するリーダ装置６の位置を固定することができる。
【００５５】
また、前記では、リーダアンテナ２０を右肩部８ｂｂ、バー部８ｃ、左肩部８ｂａに沿うように設けたが、本発明はこれに限定されない。例えば、図６に示すように、リーダアンテナ２０は、一端部２０ａが顔部８ａに設けられたリーダモジュール２２の外部通信用アンテナに接続され、他端部２０ｂが鉛直下方に垂れ下がるように構成されてもよい。この構成によっても、一般的なハンガーと同様に、顔部８ａと肩部８ｂとを備えているので、外見をハンガーと同様の形態にしてリーダ装置６を目立たなくすることができる。
【００５６】
なお、リーダアンテナ２０の他端部２０ｂは、図７に示すように、フック７がハンガーパイプ１１に吊り下げられた状態にあるとき、ハンガーパイプ１１の高さの１／２の高さ（点線で示す高さ）よりも下方に位置するように設けられることが好ましい。この構成によれば、例えば、衣料品２ａ〜２ｄの下方にＲＦＩＤタグ１ａ〜１ｄが位置する場合でも、当該ＲＦＩＤタグ１ａ〜１ｄをより確実に読み取ることができる。また、衣料品２ａ〜２ｄの下方に、靴箱２ｘに付されたＲＦＩＤタグ１ｘや帽子２ｙに付されたＲＦＩＤタグ１ｙが位置する場合でも、当該ＲＦＩＤタグ１ｘ，１ｙを読み取ることが可能になる。なお、例えば、フック７を鉛直方向に伸縮可能に構成し、当該フック７を伸ばすことによって、リーダアンテナ２０の他端部２０ｂがハンガーパイプ１１の高さの１／２の高さよも下方に位置するように構成してもよい。
【００５７】
なお、リーダモジュール２２は、後述するように駆動用のバッテリー４８（図１４参照）を備え、リーダ装置６の中で比較的重量を有する部品である。このため、リーダモジュール２２は、リーダ装置６の重心を通る鉛直線上に設けることが好ましい。これにより、リーダ装置６の安定性を向上させることができる。
【００５８】
また、リーダアンテナ２０は、図８に示すように、鉛直方向に延在する複数の直線部と、互いに隣接する直線部同士を接続する複数の曲線部とを有するミアンダ状の形態になるように、バー部８ｃに掛けられてもよい。また、リーダアンテナ２０は、図９に示すように、横方向に延在する複数の直線部と、互いに隣接する直線部同士を接続する複数の曲線部とを有するミアンダ状の形態になるように、保持部材９に保持されてもよい。これらの構成によれば、リーダアンテナ２０の検知範囲を幅方向（図の左右方向）に広げることができる。その結果、例えば、衣料品２ａに付けられたＲＦＩＤタグ１ａが幅方向に偏って配置されている場合でも、当該ＲＦＩＤタグ１ａをより確実に読み取ることができる。
【００５９】
また、前記では、本体部８が顔部８ａと肩部８ｂとバー部８ｃとを備えるように構成したが、本発明はこれに限定されない。本体部８は、リーダアンテナ２０を保持可能なものであればよい。例えば、本体部８は、図１０に示すように、顔部８ａ及び肩部８ｂのみを備え、バー部８ｃを備えなくてもよい。この構成によっても、一般的なハンガーと同様に、顔部８ａと肩部８ｂとを備えているので、外見をハンガーと同様の形態にしてリーダ装置６を目立たなくすることができる。
【００６０】
また、前記では、肩部８ｂが、左肩部８ｂａと右肩部８ｂｂとを備えるように構成したが、本発明はこれに限定されない。例えば、肩部８ｂは、図１１に示すように、右肩部８ｂｂのみを備えるように構成されてもよい。また、肩部８ｂは、左肩部８ｂａのみを備えるように構成されてもよい。この構成によっても、前記と同様の効果を得ることができる。
【００６１】
また、前記では、肩部８ｂが顔部８ａから斜め下方に延在するように構成したが、本発明はこれに限定されない。例えば、肩部８ｂは、図１３に示すように、顔部８ａから横方向に延在するように構成されてもよい。この構成によっても、前記と同様の効果を得ることができる。
【００６２】
また、本体部８は、図１３に示すように、ハンガーの形態を有さなくてもよい。この構成によっても、ハンガーパイプ１１に吊り下げることができるので、ハンガーパイプ１１に対するフック７の吊り下げ位置に応じて、リーダアンテナ２０を所望の位置に配置することが可能になる。また、リーダアンテナ２０はケーブル状に形成されているので、リーダアンテナ２０の長さに応じて、リーダアンテナ２０の検知範囲を調整することが可能になる。その結果、ハンガーパイプ１１に吊り下げられた複数の衣料品のＲＦＩＤタグをより確実に読み取ることができる。また、ハンガーパイプ１１に吊り下げられた複数の衣料品によって、本体部８が見えないようにリーダ装置を構成することによって、リーダ装置を目立たなくすることができる。
【００６３】
また、前記では、整合回路部３０を図４Ａ及び図４Ｂに示すように構成したが、本発明はこれに限定されない。例えば、整合回路部３０は、複数のキャパシタと複数のインダクタとがそれぞれ組み合わされて並列に配置されるように構成されてもよい。
【００６４】
また、前記では、リーダアンテナ２０が、図３Ａに示すように、同軸ケーブルを用いたケーブル状本体部２１と、整合回路部３０と、磁性体２６とで構成されるものとしたが、本発明はこれに限定されない。例えば、リーダアンテナ２０は、漏洩同軸ケーブルで構成されてもよい。但し、漏洩同軸ケーブルでは、給電部から遠い側は給電部に近い側に比べて電波強度が弱くなる。また、漏洩同軸ケーブルでは、屈曲させて配置させた場合に各スロット間の干渉が生じるおそれがある。これに対して、図３Ａに示すリーダアンテナ２０は、給電部２３から近い側及び遠い側の電波強度の差がなく、屈曲させて配置させた場合にも、屈曲部分での干渉がない。
【００６５】
また、前記では、ＲＦＩＤタグ１ａのアンテナ素子４３ａ，４３ｂが、図５Ａに示すように、ミアンダ状の形態であるものとしたが、本発明はこれに限定されない。例えば、アンテナ素子４３ａ，４３ｂは、直線状のアンテナであってもよいし、ループ状のアンテナであってもよい。アンテナ素子４３ａ，４３ｂの構成は、通信の周波数帯に応じて適宜選択すればよい。また、ＲＦＩＤタグ１ａの全体をカバー材（図示せず）で覆っていてもよい。カバー材の表面には、例えば値段やブランド名等が印字されてもよい。ＲＦＩＣ素子４１ａは、整合回路部とともにパッケージされてもよい。
【００６６】
また、前記では、ＲＦＩＤタグ１ａは、衣料品２ａにひも等で取り付けられるものとしたが、本発明はこれに限定されない。例えば、ＲＦＩＤタグ１ａは、衣料品２ａと関連付けられていれば、衣料品２ａと物理的に離れた位置に配置されていてもよい。
【００６７】
また、前記では、リーダモジュール２２が外部通信用アンテナを備えるものとしたが、本発明はこれに限定されない。リーダモジュール２２は、外部通信用アンテナを備えず、例えば、読み取ったＲＦＩＤタグの情報を蓄積する記憶部を備えてもよい。
【００６８】
また、前記では、リーダ装置６は、ＲＦＩＤタグの情報を読み取るリーダ機能を有するものとしたが、本発明はこれに限定されない。例えば、リーダ装置６は、ＲＦＩＤタグの情報を読み取るとともに、ＲＦＩＤタグに情報を書き込むリーダライタ機能を有するように構成されてもよい。
【００６９】
次に、実施の形態に係るリーダ装置６を用いて、複数の衣料品の商品管理を行う商品管理システムについて説明する。図１４は、実施の形態に係るリーダ装置６を用いる衣料品の商品管理システム１００の概略構成を示すブロック図である。
【００７０】
図１４に示すように、商品管理システム１００は、リーダ装置６と、リーダ装置６と通信して複数の衣料品の商品管理を行う店舗側端末５０とを備えている。
【００７１】
リーダ装置６のリーダモジュール２２は、リーダアンテナ２０と接続されているＲＦＩＤ通信用のＲＦＩＣ素子４４と、制御部４５と、ＲＦＩＣ素子４６と、外部通信用アンテナ４７と、駆動用のバッテリー４８とを備えている。ＲＦＩＣ素子４６は、ＷｉＦｉ（登録商標）／Ｂｌｕｅｔｏｏｔｈ（登録商標）通信用の素子であり、外部通信用アンテナ４７と接続されている。
【００７２】
外部通信用アンテナ４７は、店舗側アンテナ５１に対して、例えば、ＵＨＦ帯又はＳＨＦ帯で通信するアンテナである。外部通信用アンテナ４７と店舗側アンテナ５１とは、例えば、１０ｍ〜１００ｍ程度の通信距離を有し、２．４ＧＨｚ帯や５ＧＨｚ帯の通信周波数帯を利用する近距離無線通信を行う。また、リーダアンテナ２０とＲＦＩＤタグ１ａ〜１ｈのダイポールアンテナ４２ａ〜４２ｈとは、９００ＭＨｚ帯を利用して通信を行う。外部通信用アンテナ４７と店舗側アンテナ５１との通信、及び、リーダアンテナ２０とダイポールアンテナ４２ａ〜４２ｈとの通信は、通信周波数帯や電波の強度や性質が異なる。このため、電波が干渉することが抑えられる。近距離無線通信システムで用いるアンテナは、共振系のアンテナである。バッテリー４８は、ＲＦＩＣ素子４４、制御部４５、及び、ＲＦＩＣ素子４６に電力を供給する。
【００７３】
店舗側端末５０は、店舗側アンテナ５１と、ＲＦＩＣ素子５２と、制御部５３とを備えている。
【００７４】
店舗側アンテナ５１は、リーダ装置６の外部通信用アンテナ４７と通信するためのアンテナである。店舗側アンテナ５１は、リーダ装置６の外部通信用アンテナ４７に対して、例えば、ＵＨＦ帯又はＳＨＦ帯で近距離無線通信を行う。
【００７５】
ＲＦＩＣ素子５２は、ＷｉＦｉ（登録商標）／Ｂｌｕｅｔｏｏｔｈ（登録商標）通信用の素子であり、店舗側アンテナ５１と接続されている。
【００７６】
制御部５３は、ＲＦＩＤタグの情報を管理するものである。より具体的には、制御部５３は、衣料品の取り出し履歴等の商品管理を行う。例えば、制御部５３は、特定のＲＦＩＤタグの読取り可否をリアルタイムに検出して、特定のＲＦＩＤタグが付された衣料品が掛けられているハンガーラック１０から取り出され、その後に戻された回数を含む履歴を管理する。これにより、複数の衣料品の在庫管理をより正確に行うことができる。なお、制御部５３は、会計処理と連動させて商品管理を行ってもよい。
【００７７】
図１５は、ハンガーラック１０の概略構成を示す斜視図である。ハンガーラック１０は、横方向に延在するハンガーパイプ１１と、鉛直方向に延在し、ハンガーパイプ１１の両端部を支持する一対の支柱１２とを備えている。各支柱１２の下端部は、底部１３に接続されている。底部１３の底面には、複数のキャスター１４が設けられている。ハンガーパイプ１１と支柱１２と底部１３とで囲まれる空間が、衣料品が陳列される空間となる。ハンガーパイプ１１、支柱１２、及び底部１３は、金属、樹脂、木材等のいずれの材料で構成されてもよい。
【００７８】
一対の支柱１２の外側には、シールド部材１５ａ，１５ｂが互いに対向するように設けられている。ハンガーパイプ１１の上方には、シールド部材１５ｃが設けられている。これらのシールド部材１５ａ，１５ｂ，１５ｃによって、衣料品が陳列される空間と外部空間の少なくとも一部とが区切られている。シールド部材１５ａ，１５ｂ，１５ｃは、例えば、金属等の導体で構成されている。シールド部材１５ａ，１５ｂ，１５ｃは、板状、網状等のいずれの形状であってもよい。
【００７９】
図１６は、ハンガーパイプ１１に吊り下げられた複数のリーダ装置６ａ〜６ｄと複数のハンガー３ａ〜３ｍとの配置を示す斜視図である。なお、複数のリーダ装置６ａ〜６ｄは、実施の形態に係るリーダ装置６と同一の構成を有する。また、複数のリーダ装置６ａ〜６ｄは、ハンガーパイプ１１に対して互いに間隔をおいて配置されている。
【００８０】
店舗側端末５０の制御部５３は、複数のリーダ装置６ａ〜６ｄにおける特定のＲＦＩＤタグの読取り可否又は信号強度に基づいて、特定のＲＦＩＤタグが付された衣料品と複数のリーダ装置６ａ〜６ｄとの相対位置を特定する。ここでは、一例として、衣料品２ａ〜２ｍに付されたＲＦＩＤタグ１ａ〜１ｍのうち、ＲＦＩＤタグ１ｆが「特定のＲＦＩＤタグ」であるものとして説明する。
【００８１】
図１６に示すように、特定のＲＦＩＤタグ１ｆが付された衣料品２ｆは、リーダ装置６ｂとリーダ装置６ｃとの間に配置されている。この場合、衣料品２ｆはリーダ装置６ｂ，６ｃの検知領域内に位置するので、リーダ装置６ｂ，６ｃは特定のＲＦＩＤ１ｆを読み取ることができる。一方、衣料品２ｆはリーダ装置６ａ，６ｄの検知領域外に位置するので、リーダ装置６ａ，６ｄは特定のＲＦＩＤ１ｆを読み取ることができない。
【００８２】
また、図１６に示すように、衣料品２ｆは、リーダ装置６ｃよりもリーダ装置６ｄに近い側に位置している。このため、リーダ装置６ｂが読み取ったＲＦＩＤタグ１ｆの信号強度は、リーダ装置６ｃが読み取ったＲＦＩＤタグ１ｆの信号強度よりも強くなる。従って、制御部５３は、リーダ装置６ｂ，６ｃにおける特定のＲＦＩＤタグ１ｆの読取り可否又は信号強度に基づいて、特定のＲＦＩＤタグ１ｆが付された衣料品２ｆとリーダ装置６ｂ，６ｃとの相対位置を特定することができる。これにより、複数の衣料品の在庫管理をより正確に行うことができる。
【００８３】
なお、前記では、店舗側端末５０とリーダ装置６のリーダモジュール２２との通信は、無線で行うようにしたが、本発明はこれに限定されない。店舗側端末５０とリーダ装置６のリーダモジュール２２との通信は、有線で行われてもよい。
【００８４】
なお、本開示においては、前述した様々な実施の形態及び／又は実施例のうちの任意の実施の形態及び／又は実施例を適宜組み合わせることを含むものであり、それぞれの実施の形態及び／又は実施例が有する効果を奏することができる。
【産業上の利用可能性】
【００８５】
本発明に係るハンガーラック用リーダ装置によれば、ハンガーパイプに吊り下げられた複数の衣料品のＲＦＩＤタグをより確実に読み取ることができるので、例えば、ハンガーラックや当該ハンガーラックを用いる衣料品の商品管理システムに有用である。
【符号の説明】
【００８６】
１ａ〜１ｍ，１ｘ，１ｙ  ＲＦＩＤタグ
２ａ〜２ｍ  衣料品
２ｘ  靴箱
２ｙ  帽子
３ａ〜３ｍ  ハンガー
５  ダミーの衣料品
６，６ａ〜６ｄ  ハンガーラック用リーダ装置
７  フック
８  本体部
８ａ  顔部
８ｂ  肩部
８ｂａ  左肩部
８ｂｂ  右肩部
８ｃ  バー部
９    保持部材
１０  ハンガーラック
１１  ハンガーパイプ
１２  支柱
１３  底部
１４  キャスター
１５ａ，１５ｂ，１５ｃ  シールド部材
２０  リーダアンテナ
２１  ケーブル状本体部
２２  リーダモジュール
２３  給電部
２４  内部導体
２５  外部導体
２６  磁性体
２７  放射部
２８  非放射部
３０  整合回路部
３１  第１導体層
３２  ビアホール導体
３３  第２導体層
３４  絶縁体
３５  キャパシタ成分
３６  インダクタ成分
４１ａ〜４１ｈ  ＲＦＩＣ素子
４２ａ〜４２ｈ  ダイポールアンテナ
４３ａ，４３ｂ  アンテナ素子
４４  ＲＦＩＣ素子
４５  制御部
４６  ＲＦＩＣ素子
４７  外部通信用アンテナ
４８  バッテリー
５０  店舗側端末
５１  店舗側アンテナ
５２  ＲＦＩＣ素子
５３  制御部
１００  商品管理システム
【図１】
2019207447.tif 000003
【図２】
2019207447.tif 000004
【図３Ａ】
2019207447.tif 000005
【図３Ｂ】
2019207447.tif 000006
【図４Ａ】
2019207447.tif 000007
【図４Ｂ】
2019207447.tif 000008
【図４Ｃ】
2019207447.tif 000009
【図５Ａ】
2019207447.tif 000010
【図５Ｂ】
2019207447.tif 000011
【図６】
2019207447.tif 000012
【図７】
2019207447.tif 000013
【図８】
2019207447.tif 000014
【図９】
2019207447.tif 000015
【図１０】
2019207447.tif 000016
【図１１】
2019207447.tif 000017
【図１２】
2019207447.tif 000018
【図１３】
2019207447.tif 000019
【図１４】
2019207447.tif 000020
【図１５】
2019207447.tif 000021
【図１６】
2019207447.tif 000022